(57)【要約】  電気信号として入力されたデータ信号に応じた光信号を出力する発光部（２３）、および発光部（２３）の駆動電源を制御する電源制御部（２５）を含む光送信処理部（２）と、光送信処理部（２）から導入された光信号を伝送する光伝送路（４）と、光伝送路（４）から出力される光信号を受信して該光信号に応じた電気信号を出力する受光部（３１）、および受光部（３１）の駆動電源を制御する電源制御部（３４）を含む光受信処理部（３）とを備える光伝送モジュール（１）であって、光送信処理部（２）と光受信処理部（３）とを接続し、発光部（２３）および受光部（３１）への電力供給を制御する制御信号を、電源制御部（２５，３４）に伝送する電気伝送路（５）を少なくとも１つ備え、電源制御部（２５，３４）は、電気伝送路（５）を介して入力される上記制御信号に基づいて、発光部（２３）および受光部（３１）への電力供給を制御する。これにより、簡易な構成により待機時の消費電力を低減できる光伝送モジュールを提供することができる。
2008126755.tif 000002
【特許請求の範囲】
【請求項１】
電気信号として入力されたデータ信号に応じた光信号を出力する発光部、および該発光部の駆動電源を制御する第１の電源制御部を含む光送信部と、該光送信部から導入された光信号を伝送する光伝送路と、該光伝送路から出力される光信号を受信して該光信号に応じた電気信号を出力する受光部、および該受光部の駆動電源を制御する第２の電源制御部を含む光受信部とを備える光伝送モジュールであって、
上記光送信部と上記光受信部とを接続し、上記発光部および上記受光部への電力供給を制御する制御信号を、上記第１の電源制御部および上記第２の電源制御部に伝送する電気伝送路を少なくとも１つ備え、
上記第１の電源制御部および上記第２の電源制御部は、上記電気伝送路を介して入力される上記制御信号に基づいて、上記発光部および上記受光部への電力供給を制御することを特徴とする光伝送モジュール。
【請求項２】
上記第２の電源制御部は、上記光送信部から上記電気伝送路を介して入力される上記制御信号に基づいて、上記受光部への電力供給を制御することを特徴とする請求の範囲第１項に記載の光伝送モジュール。
【請求項３】
上記第１の電源制御部は、上記光受信部から上記電気伝送路を介して入力される上記制御信号に基づいて、上記発光部への電力供給を制御することを特徴とする請求の範囲第１項に記載の光伝送モジュール。
【請求項４】
上記光送信部は、該光送信部に上記データ信号が入力されたか否かを判定するとともに、判定結果に基づいて、上記制御信号を上記第１の電源制御部および上記第２の電源制御部に出力する信号判別処理手段をさらに備え、
上記信号判別処理手段は、上記光送信部に上記データ信号が入力されていないと判定した場合には、上記発光部および上記受光部への電力供給を停止させるための制御信号を、上記電気伝送路を介して、上記第１の電源制御部および上記第２の電源制御部に入力する一方、
上記光送信部に上記データ信号が入力されたと判定した場合には、上記発光部および上記受光部への電力供給を開始させるための制御信号を、上記電気伝送路を介して、上記第１の電源制御部および上記第２の電源制御部に入力することを特徴とする請求の範囲第１項または第２項に記載の光伝送モジュール。
【請求項５】
上記光送信部は、上記制御信号を上記データ信号の送信元側から受信して、該制御信号を上記第１の電源制御部に入力するとともに上記電気伝送路に出力し、
上記光受信部は、上記電気伝送路を介して伝送された上記制御信号を受信して、該制御信号を上記第２の電源制御部に入力することを特徴とする請求の範囲第１項または第２項に記載の光伝送モジュール。
【請求項６】
上記光受信部は、上記電気伝送路を介して伝送された上記制御信号を受信して、該制御信号を上記第２の電源制御部に入力するとともに外部に出力することを特徴とする請求の範囲第５項に記載の光伝送モジュール。
【請求項７】
上記第１の電源制御部が上記電気伝送路からみてハイインピーダンスとなるように、上記電気伝送路における、上記光受信部に接続される電気伝送路と上記第１の電源制御部に接続される電気伝送路との分岐部、および上記第１の電源制御部の間に、高入力インピーダンス回路が設けられていることを特徴とする請求の範囲第５項または第６項に記載の光伝送モジュール。
【請求項８】
上記光送信部は、上記データ信号および上記制御信号の入力信号をそれぞれの送信元から同一の伝送路を介して受信し、
上記光送信部は、受信した上記入力信号を、上記データ信号および上記制御信号のいずれかに分離する信号分離手段をさらに備え、
上記信号分離手段は、上記データ信号を上記受光部に入力する一方、上記制御信号を、上記電気伝送路を介して上記第１の電源制御部および第２の電源制御部に入力することを特徴とする請求の範囲第５項に記載の光伝送モジュール。
【請求項９】
上記信号分離手段は、ハイパスフィルタおよびローパスフィルタから構成され、
上記ハイパスフィルタは、上記発光部へと接続される伝送路上に設けられ、当該ハイパスフィルタを通過した上記入力信号を上記発光部に入力する一方、
上記ローパスフィルタは、上記第１の電源制御部および上記第２の電源制御部へと接続される上記電気伝送路上に設けら、当該ローパスフィルタを通過した上記入力信号を、上記電気伝送路を介して上記第１の電源制御部および上記第２の電源制御部に入力することを特徴とする請求の範囲第８項に記載の光伝送モジュール。
【請求項１０】
上記制御信号が伝送される上記電気伝送路が、上記データ信号が伝送される伝送路からみてハイインピーダンスとなるように、上記ローパスフィルタへと接続される、上記制御信号が伝送される上記電気伝送路と、上記発光部へと接続される、上記データ信号が伝送される伝送路との分岐部、および上記ローパスフィルタの間に、高入力インピーダンス回路が設けられていることを特徴とする請求の範囲第９項に記載の光伝送モジュール。
【請求項１１】
上記信号分離手段は、上記入力信号の電圧レベルと、予め設定された第１の電圧値とを比較する第１の電圧比較手段、および上記入力信号の電圧レベルと、予め設定された第２の電圧値とを比較する第２の電圧比較手段から構成され、
上記第１の比較手段は、上記発光部へと接続される伝送路上に設けられ、上記入力信号の電圧レベルの変化の範囲に上記第１の電圧値が含まれる場合には、上記入力信号を上記発光部に入力し、
上記第２の比較手段は、上記第１の電源制御部および上記第２の電源制御部へと接続される上記電気伝送路上に設けられ、上記入力信号の電圧レベルの変化の範囲に上記第２の電圧値が含まれる場合には、上記入力信号を、上記電気伝送路を介して上記第１の電源制御部および上記第２の電源制御部に入力することを特徴とする請求の範囲第８項に記載の光伝送モジュール。
【請求項１２】
上記信号分離手段は、上記入力信号の周波数を検出して、検出した周波数と予め設定された周波数とを比較する周波数判定手段と、該周波数判定手段により判定された結果に基づいて、上記入力信号の伝送方向をスイッチにより切り替える切替手段とから構成され、
上記切替手段は、上記周波数判定手段が、上記入力信号の周波数が予め設定された周波数よりも大きいと判定した場合には、上記入力信号が上記発光部に接続される伝送路に伝送されるように、上記スイッチを切り替える一方、
上記周波数判定手段が、上記入力信号の周波数が予め設定された周波数よりも小さいと判定した場合には、上記第１の電源制御部および上記第２の電源制御部へと接続される上記電気伝送路に上記入力信号が伝送されるように、上記スイッチを切り替えることを特徴とする請求の範囲第８項に記載の光伝送モジュール。
【請求項１３】
上記信号分離手段は、上記入力信号の電圧レベルを検出して、検出した電圧レベルと予め設定された電圧レベルとを比較する電圧比較手段と、該電圧比較手段により比較された結果に基づいて、上記入力信号の伝送方向をスイッチにより切り替える切替手段とから構成され、
上記切替手段は、上記電圧比較手段が、上記入力信号の電圧レベルが予め設定された電圧レベルよりも大きいと判定した場合には、上記入力信号が上記発光部に接続される伝送路に伝送されるように、上記スイッチを切り替える一方、
上記電圧比較手段が、上記入力信号の電圧レベルが予め設定された電圧レベルよりも小さいと判定した場合には、上記第１の電源制御部および上記第２の電源制御部へと接続される上記電気伝送路に上記入力信号が伝送されるように、上記スイッチを切り替えることを特徴とする請求の範囲第８項に記載の光伝送モジュール。
【請求項１４】
上記電気伝送路が、フレキシブルプリント基板からなることを特徴とする請求の範囲第１項〜第１３項のいずれか１項に記載の光伝送モジュール。
【請求項１５】
上記電気伝送路が、同軸ケーブルからなることを特徴とする請求の範囲第１項〜第１３項のいずれか１項に記載の光伝送モジュール。
【請求項１６】
請求の範囲第１項〜第１５項のいずれか１項に記載の光伝送モジュールを備えた電子機器。
【発明の詳細な説明】
【技術分野】
【０００１】
本発明は、携帯電話機などの情報伝達装置内における回路基板間を光信号で接続する光インターコネクションに関するものであり、特に、光信号を伝送する光伝送路モジュール、および電子機器に関するものである。
【背景技術】
【０００２】
近年、ＣＰＵクロック周波数の増大にともない、データの伝送速度の高速化が要求されている。しかしながら、従来の電気配線では、伝送速度の高速化に伴ってクロストークや電磁輻射が顕著化するため、伝送速度の高速化には限界がある。そこで、このような問題を解決するため、ＣＰＵと各種アプリケーション回路とを光導波路などの光伝送路で接続し、データ信号を光信号として伝送する方法が試みられている。【０００３】
光導波路は、コアと呼ばれる芯とそれを覆うクラッドと呼ばれる鞘の二重構造になっており、クラッドよりもコアの屈折率が高くなっている。これにより、コアに入射した光信号は、コア内部で全反射を繰り返すことによって伝搬される。【０００４】
ここで、光伝送路を備えた光伝送モジュールの概略構成について、図面を用いて以下に示す。図２１（ａ）は、光伝送モジュールの外観を示す斜視図であり、図２１（ｂ）は、該光伝送モジュールを内蔵した折り畳み式携帯電話機の内観を示す斜視図である。また、図２２は、上記光伝送モジュールを内蔵した折り畳み式携帯電話機における、光伝送モジュールが適用されている部分のブロック図である。【０００５】
光伝送モジュール１００は、ＣＰＵ２９が搭載されるマスター側基板（主制御基板）２０に接続される、光源駆動回路（発光駆動部）および発光部（発光素子；ＶＣＳＥＬ（Vertical Cavity-Surface Emitting Laser））を含む光送信処理部２と、ＬＣＤ（Liquid Crystal Display）、ＬＣＤを駆動制御するＬＣＤドライバ３９、カメラモジュール等の各種アプリケーションが搭載されるスレーブ側基板（アプリケーション回路基板）３０に接続される、受光部（受光素子；ＰＤ（Photo-Diode））および受信（アンプ）ＩＣを含む光受信処理部３と、光送信処理部２および光受信処理部３を接続して光信号を伝送する、光ファイバや高屈曲の光導波路などの光伝送路４とから構成される。【０００６】
次に、光伝送モジュールに１００おける光伝送の仕組みについて簡単に説明する。まず、主制御基板２０から入力される電気信号に基づいて、発光駆動部が発光部の発光を駆動し、発光部が光伝送路４の光入射面に対して光を照射する。光伝送路４の光入射面に照射された光は、光伝送路４内に導入され、光伝送路４の光出射面から出射される。そして、光伝送路４の光出射面から出射された光は、受光部により受光され電気信号に変換される。変換された電気信号は、増幅部（アンプ）により所望の値に増幅され、アプリケーション回路基板３０の例えばＬＣＤドライバ３９に入力される。【０００７】
このような光伝送モジュールを用いることによって、例えば携帯電話機内に搭載される主制御基板からアプリケーション回路基板への高速かつ大容量のデータ伝送が可能になる。このように、光伝送モジュールは、データ伝送モジュールとして非常に優れたものである。【０００８】
ところが、この光伝送モジュールは、大容量のデータを高速に伝送できるという利点がある一方、小容量のデータを低速で伝送する電気伝送モジュールに比べて消費電力が大きいという問題がある。そのため、光伝送モジュールを今後さらに普及させる上で、光伝送モジュール、特に光送信処理部および光受信処理部における消費電力を低減することが重要である。【０００９】
そこで、これら光送信処理部および光受信処理部の消費電力を低減するために、両者間を伝送するデータ（伝送データ）の有無に応じて、光送信処理部および光受信処理部の起動および停止を制御することが考えられる。その一例として、例えば、図２３に示す構成や図２４に示す特許文献１の構成が挙げられる。【００１０】
図２３は、光送信処理部および光受信処理部の起動および停止を制御するための、従来一般的に用いられている技術を示す光伝送モジュールを備えた携帯電話機の概略構成を示すブロック図である。同図に示すように、この従来の技術では、光送信処理部（Ｔｘ）２および光受信処理部（Ｒｘ）３は、それぞれ、ＣＰＵ２９およびデータ受信側のＣＰＵ（図示せず）から入力される制御信号に基づいて、個別に起動および停止が制御されている。具体的には例えば、データ送信側のＣＰＵ２９が、光送信処理部２への入力信号（データ信号）の有無を検知して、光送信処理部２の起動および停止を制御し、データ受信側のＣＰＵが、光受信処理部３からの出力信号（データ信号）の有無を検知して、光受信処理部３の起動および停止を制御している。【００１１】
図２４は、特許文献１に開示されている光受信回路を含む光伝送モジュールの概略構成を示すブロック図である。同図に示すように、この光伝送モジュールには、受光部３１が光信号を受信したか否かを判断する信号検出回路３５と、信号検出回路３５の検出結果に基づいて増幅部３２およびＩ／Ｆ回路３３の電源を制御する電源制御部３４とが設けられている。これにより、受光部３１が光信号を受信しない場合には、電源制御部３４が増幅部３２およびＩ／Ｆ回路３３の電源を停止させる一方、受光部３１が光信号を受信した場合には、電源制御部３４が増幅部３２およびＩ／Ｆ回路３３の電源を起動させることができる。なお、光送信処理部２においては、外部に設けられているＣＰＵ（図示せず）から電源制御部２５に入力される制御信号により、Ｉ／Ｆ回路２１、発光駆動部２２および発光部２３における電源を制御することができる構成である。【００１２】
これら従来の技術によれば、入力信号（データ信号）の有無に応じて光送信処理部および光受信処理部の起動および停止を制御することができるため、光伝送モジュールの消費電力を低減することができる。
【特許文献１】日本国公開特許公報「特開２００４−１３５１８８号公報（公開日：２００４年４月３０日）」
【発明の開示】
【００１３】
ところが、上記従来の技術では以下のような問題が生じる。
【００１４】
まず、光送信処理部および光受信処理部の起動および停止を個別に制御する上記技術では、光送信処理部２および光受信処理部３の起動および停止の制御を、個別に行っており両者の間で同期が取れていないため、例えば光送信処理部２が停止状態であるときでも、光受信処理部３は受信待ち（待機）状態で動作していることがある。そのため、データ伝送が行われていないにもかかわらず、光受信処理部３が動作状態となり、光受信処理部３における電力が無駄に消費されることになる。したがって、光伝送モジュールが待機状態にあるときの消費電力を抑えることができない。
【００１５】
また、上記特許文献１の技術では、受光部３１が光信号を受信したか否かを信号検出回路３５が検出する構成であるため、増幅部３２およびＩ／Ｆ回路３３が停止状態にある場合であっても、受光部３１、信号検出回路３５および電源制御部３４は常時起動している必要がある。そのため、停止状態における待機時の電力が消費されることになり、上記技術と同様、光伝送モジュールが待機状態にあるときの消費電力を抑えることができない。
【００１６】
本発明は、上記の問題点に鑑みてなされたものであり、その目的は、簡易な構成により待機時の消費電力を低減できる光伝送モジュール、および電子機器を提供することにある。
【００１７】
本発明における光伝送モジュールは、上記課題を解決するために、電気信号として入力されたデータ信号に応じた光信号を出力する発光部、および該発光部の駆動電源を制御する第１の電源制御部を含む光送信部と、該光送信部から導入された光信号を伝送する光伝送路と、該光伝送路から出力される光信号を受信して該光信号に応じた電気信号を出力する受光部、および該受光部の駆動電源を制御する第２の電源制御部を含む光受信部とを備える光伝送モジュールであって、上記光送信部と上記光受信部とを接続し、上記発光部および上記受光部への電力供給を制御する制御信号を、上記第１の電源制御部および上記第２の電源制御部に伝送する電気伝送路を少なくとも１つ備え、上記第１の電源制御部および上記第２の電源制御部は、上記電気伝送路を介して入力される上記制御信号に基づいて、上記発光部および上記受光部への電力供給を制御する構成である。
【００１８】
上記の構成によれば、データ信号を伝送する光伝送路と、制御信号を伝送する電気伝送路とにより光送信部と光受信部とが接続される。そして、制御信号は、電気伝送路を介して発光部の駆動電源を制御する第１の電源制御部と受光部の駆動電源を制御する第２の電源制御部に入力され、入力された制御信号に基づいて、発光部および受光部への電力供給が制御される。
【００１９】
これにより、発光部および受光部それぞれの起動／停止を同一の制御信号により制御することができる。具体的には、例えば、駆動状態にある発光部および受光部への電力供給の停止を命令する制御信号が第１の電源制御部および第２の電源制御部に入力された場合、第１の電源制御部により発光部への電力供給が停止されるとともに、第２の電源制御部により受光部への電力供給が停止され、該発光部および受光部は駆動状態から停止状態に移行する。また、停止状態にある発光部および受光部への電力供給の開始を命令する制御信号が第１の電源制御部および第２の電源制御部に入力された場合には、第１の電源制御部により発光部への電力供給が開始されるとともに、第２の電源制御部により受光部への電力供給が開始され、該発光部および受光部は停止状態から駆動状態に移行する。
【００２０】
このように、同一の制御信号により、発光部および受光部への電力供給を制御することができるため、発光部および受光部のいずれかが駆動または停止している状態を回避することができる。例えば、発光部が停止状態であれば、受光部も同じ停止状態となる。そのため、発光部が停止状態の場合、光送信部から伝送されるデータ信号の受信を待っている間に、受光部において消費される電力を低減することができる。
【００２１】
また、本発明における光伝送モジュールは、上記の構成において、上記第２の電源制御部は、上記光送信部から上記電気伝送路を介して入力される上記制御信号に基づいて、上記受光部への電力供給を制御する構成であってもよい。
【００２２】
上記の構成によれば、制御信号は、データ信号が伝送される方向と同一の方向に伝送される。そのため、例えば、光伝送モジュールが搭載された携帯電話機を例に挙げると、携帯電話機内の主制御基板に搭載されるＣＰＵが、光伝送モジュールに対してデータ信号の送信処理を行った後に、光伝送モジュールの発光部および受光部への電力供給を停止する制御信号を出力した場合、制御信号は光伝送モジュールの電気伝送路を介して、第１の電源制御部および第２の電源制御部に入力される。そのため、光伝送モジュールにおけるデータ信号の送受信処理が完了した直後に、発光部および受光部への電力供給を停止することが可能となり、無駄な電力の消費を抑えることができる。
【００２３】
また、本発明における光伝送モジュールは、上記の構成において、上記第１の電源制御部は、上記光受信部から上記電気伝送路を介して入力される上記制御信号に基づいて、上記発光部への電力供給を制御する構成であってもよい。
【００２４】
上記の構成によれば、制御信号は、データ信号が伝送される方向とは反対の方向に伝送される。すなわち、例えば、光伝送モジュールが搭載された携帯電話機を例に挙げると、カメラで撮像した画像データ（データ信号）が光伝送モジュールを介して、主制御基板に搭載されるＣＰＵに受信処理される。そして、ＣＰＵから制御信号が出力され、電気伝送路を介して第１の電源制御部に入力される。このように、上記の構成は、データ信号の伝送方向によらず、第１の電源制御部および第２の電源制御部に制御信号を伝送して、発光部および受光部への電力供給を制御することができるため、双方向通信が可能な光伝送モジュールとして適用することができる。
【００２５】
また、本発明における光伝送モジュールは、上記の構成において、上記光送信部は、該光送信部に上記データ信号が入力されたか否かを判定するとともに、判定結果に基づいて、上記制御信号を上記第１の電源制御部および上記第２の電源制御部に出力する信号判別処理手段をさらに備え、上記信号判別処理手段は、上記光送信部に上記データ信号が入力されていないと判定した場合には、上記発光部および上記受光部への電力供給を停止させるための制御信号を、上記電気伝送路を介して、上記第１の電源制御部および上記第２の電源制御部に入力する一方、上記光送信部に上記データ信号が入力されたと判定した場合には、上記発光部および上記受光部への電力供給を開始させるための制御信号を、上記電気伝送路を介して、上記第１の電源制御部および上記第２の電源制御部に入力する構成であってもよい。
【００２６】
上記の構成によれば、光送信部に入力されるデータ信号の有無に応じた制御信号が第１の電源制御部および第２の電源制御部に入力される。これにより、データ信号がないと判定した直後に、発光部および受光部への電力供給を停止することが可能となり、無駄な待機電力の消費を抑えることができる。
【００２７】
また、本発明における光伝送モジュールは、上記の構成において、上記光送信部は、上記制御信号を上記データ信号の送信元側から受信して、該制御信号を上記第１の電源制御部に入力するとともに上記電気伝送路に出力し、上記光受信部は、上記電気伝送路を介して伝送された上記制御信号を受信して、該制御信号を上記第２の電源制御部に入力する構成であってもよい。
【００２８】
上記の構成によれば、制御信号は、光伝送モジュールの外部から入力されるにおいて出力された制御信号が第１の電源制御部および第２の電源制御部に入力される。そのため、光伝送モジュールにおいて入力信号の有無を判定する必要がないため、該光伝送モジュール自体の小型化が図れるとともに、製造コストを削減することができる。本構成の光伝送モジュールは、光伝送モジュールの外部に設けられる例えばＣＰＵが、光伝送モジュールへの入力信号の有無を判定して光伝送モジュール内の電源制御を行う構成などに好適である。
【００２９】
また、本発明における光伝送モジュールは、上記の構成において、上記光受信部は、上記電気伝送路を介して伝送された上記制御信号を受信して、該制御信号を上記第２の電源制御部に入力するとともに外部に出力する構成であってもよい。
【００３０】
従来、アプリケーション回路基板に搭載されるアプリケーション回路の電源を起動または停止するために、主制御基板に搭載されるＣＰＵと上記アプリケーション回路とを直接接続して制御信号を伝送していた。そのため、光伝送モジュールとは別に制御信号伝送用の信号線を備える必要があり、配線スペースの増大化を招いていた。
【００３１】
これに対して、上記の構成では、例えば光伝送モジュールと一体化して構成された電気伝送路を利用して、制御信号を第１の電源制御部および第２の電源制御部４と、アプリケーション回路基板に搭載されるアプリケーション回路とに伝送し、光伝送モジュールおよびアプリケーション回路の電源を制御する構成である。これにより、配線スペースの省スペース化が図れるため、光伝送モジュールをより小型の機器に適用することが可能となる。
【００３２】
また、本発明における光伝送モジュールは、上記の構成において、上記第１の電源制御部が上記電気伝送路からみてハイインピーダンスとなるように、上記電気伝送路における、上記光受信部に接続される電気伝送路と上記第１の電源制御部に接続される電気伝送路との分岐部、および上記第１の電源制御部の間に、高入力インピーダンス回路が設けられていてもよい。
【００３３】
一般的に、電気信号を高速に伝送する場合、伝送される高周波信号（ＲＦ信号）は、他の回路の影響を受け易く、信号波形になまりが生じる。そのため、正常な信号として伝送されない、いわゆるインピーダンスマッチングが取れないという問題が生じる。
【００３４】
この点、上記の構成によれば、信号波形に影響を与える第１の電源制御部の入力インピーダンスが高くなるように構成されている。これにより、高周波信号の波形のなまりを防ぐことができ、制御信号を正常な信号として高速に伝送することが可能となる。高入力インピーダンス回路の具体例としては、例えば、入力部にＭＯＳトランジスタを用いたインバータ回路が挙げられる。
【００３５】
また、本発明における光伝送モジュールは、上記の構成において、上記光送信部は、上記データ信号および上記制御信号の入力信号をそれぞれの送信元から同一の伝送路を介して受信し、上記光送信部は、受信した上記入力信号を、上記データ信号および上記制御信号のいずれかに分離する信号分離手段をさらに備え、上記信号分離手段は、上記データ信号を上記受光部に入力する一方、上記制御信号を、上記電気伝送路を介して上記第１の電源制御部および第２の電源制御部に入力する構成であってもよい。
【００３６】
上記の構成によれば、データ信号および制御信号を分離することが可能となるため、外部から光伝送モジュールへと接続される、データ信号を伝送する伝送路と制御信号を伝送する伝送路とを同一の伝送路で構成することができる。そのため、光伝送モジュールに接続される伝送路の数を減らすことができるため、光伝送モジュールをさらに小型の機器に適用することができる。
【００３７】
また、本発明における光伝送モジュールは、上記の構成において、上記信号分離手段は、ハイパスフィルタおよびローパスフィルタから構成され、上記ハイパスフィルタは、上記発光部へと接続される伝送路上に設けられ、当該ハイパスフィルタを通過した上記入力信号を上記発光部に入力する一方、上記ローパスフィルタは、上記第１の電源制御部および上記第２の電源制御部へと接続される上記電気伝送路上に設けら、当該ローパスフィルタを通過した上記入力信号を、上記電気伝送路を介して上記第１の電源制御部および上記第２の電源制御部に入力する構成であってもよい。
【００３８】
また、本発明における光伝送モジュールは、上記の構成において、上記制御信号が伝送される上記電気伝送路が、上記データ信号が伝送される伝送路からみてハイインピーダンスとなるように、上記ローパスフィルタへと接続される、上記制御信号が伝送される上記電気伝送路と、上記発光部へと接続される、上記データ信号が伝送される伝送路との分岐部、および上記ローパスフィルタの間に、高入力インピーダンス回路が設けられている構成であってもよい。
【００３９】
ここで、データ信号が数百ＭＨｚ帯域以上の高周波（ＲＦ）信号である場合には、低速側の電気伝送路のインピーダンスの影響を受け易く、波形なまりが生じる。
【００４０】
この点、上記の構成によれば、データ信号からみた電気伝送路がハイインピーダンスとなるように高入力インピーダンス回路が設けられている。これにより、ＲＦ帯域のデータ信号を正確に光送信部に伝送することができる。高入力インピーダンス回路の具体例としては、例えば、入力部にＭＯＳトランジスタを用いたインバータ回路が挙げられる。
【００４１】
また、本発明における光伝送モジュールは、上記の構成において、上記信号分離手段は、上記入力信号の電圧レベルと、予め設定された第１の電圧値とを比較する第１の電圧比較手段、および上記入力信号の電圧レベルと、予め設定された第２の電圧値とを比較する第２の電圧比較手段から構成され、上記第１の比較手段は、上記発光部へと接続される伝送路上に設けられ、上記入力信号の電圧レベルの変化の範囲に上記第１の電圧値が含まれる場合には、上記入力信号を上記発光部に入力し、上記第２の比較手段は、上記第１の電源制御部および上記第２の電源制御部へと接続される上記電気伝送路上に設けられ、上記入力信号の電圧レベルの変化の範囲に上記第２の電圧値が含まれる場合には、上記入力信号を、上記電気伝送路を介して上記第１の電源制御部および上記第２の電源制御部に入力する構成であってもよい。
【００４２】
また、本発明における光伝送モジュールは、上記の構成において、上記信号分離手段は、上記入力信号の周波数を検出して、検出した周波数と予め設定された周波数とを比較する周波数判定手段と、該周波数判定手段により判定された結果に基づいて、上記入力信号の伝送方向をスイッチにより切り替える切替手段とから構成され、上記切替手段は、上記周波数判定手段が、上記入力信号の周波数が予め設定された周波数よりも大きいと判定した場合には、上記入力信号が上記発光部に接続される伝送路に伝送されるように、上記スイッチを切り替える一方、上記周波数判定手段が、上記入力信号の周波数が予め設定された周波数よりも小さいと判定した場合には、上記第１の電源制御部および上記第２の電源制御部へと接続される上記電気伝送路に上記入力信号が伝送されるように、上記スイッチを切り替える構成であってもよい。
【００４３】
また、本発明における光伝送モジュールは、上記の構成において、上記信号分離手段は、上記入力信号の電圧レベルを検出して、検出した電圧レベルと予め設定された電圧レベルとを比較する電圧比較手段と、該電圧比較手段により比較された結果に基づいて、上記入力信号の伝送方向をスイッチにより切り替える切替手段とから構成され、上記切替手段は、上記電圧比較手段が、上記入力信号の電圧レベルが予め設定された電圧レベルよりも大きいと判定した場合には、上記入力信号が上記発光部に接続される伝送路に伝送されるように、上記スイッチを切り替える一方、上記電圧比較手段が、上記入力信号の電圧レベルが予め設定された電圧レベルよりも小さいと判定した場合には、上記第１の電源制御部および上記第２の電源制御部へと接続される上記電気伝送路に上記入力信号が伝送されるように、上記スイッチを切り替える構成であってもよい。
【００４４】
また、本発明における光伝送モジュールは、上記の構成において、上記電気伝送路が、フレキシブルプリント基板（ＦＰＣ）からなっていてもよい。
【００４５】
また、本発明における光伝送モジュールは、上記の構成において、上記電気伝送路が、同軸ケーブルからなっていてもよい。
【００４６】
本発明の他の目的、特徴、および優れた点は、以下に示す記載によって十分分かるであろう。また、本発明の利点は、添付図面を参照した次の説明によって明白になるであろう。
【図面の簡単な説明】
【００４７】
【図１】（ａ）は、本実施の形態の光伝送モジュールを内蔵した折り畳み式携帯電話機における、光伝送モジュールが適用されている部分のブロック図であり、（ｂ）は、該光伝送モジュールの概略構成を示すブロック図である。
【図２】（ａ）は、本実施の形態の光伝送モジュールを内蔵した他の構成の折り畳み式携帯電話機における、光伝送モジュールが適用されている部分のブロック図であり、（ｂ）は、該光伝送モジュールの概略構成を示すブロック図である。
【図３】（ａ）は、実施の形態１の光伝送モジュールを内蔵した折り畳み式携帯電話機の外観を示す斜視図であり、（ｂ）は、（ａ）に示した折り畳み式携帯電話における、光伝送モジュールが適用されている部分のブロック図であり、（ｃ）は、（ａ）におけるヒンジ部（破線で囲んだ部分）の透視平面図である。
【図４】（ａ）は、本実施の形態１の光伝送モジュールを内蔵した折り畳み式携帯電話機における、光伝送モジュールが適用されている部分のブロック図であり、（ｂ）は、該光伝送モジュールの概略構成を示すブロック図である。
【図５】（ａ）は、光伝送路の側面図であり、（ｂ）は、光伝送路における光伝送の状態を模式的に示す図である。
【図６】電気伝送路がＦＰＣで構成されている場合の光伝送モジュールの概略構成を示す斜視図である。
【図７】電気伝送路が２本の信号線により構成されている場合の光伝送モジュールの概略構成を示すブロック図である。
【図８】（ａ）は、本実施の形態１の変形例１−１としての光伝送モジュールを内蔵した折り畳み式携帯電話機における、光伝送モジュールが適用されている部分のブロック図であり、（ｂ）は、該光伝送モジュールの概略構成を示すブロック図である。
【図９】（ａ）は、本実施の形態２の光伝送モジュールを内蔵した折り畳み式携帯電話機における、光伝送モジュールが適用されている部分のブロック図であり、（ｂ）は、該光伝送モジュールの概略構成を示すブロック図である。
【図１０】（ａ）は、変形例２−１としての光伝送モジュールを内蔵した折り畳み式携帯電話機における、光伝送モジュールが適用されている部分のブロック図であり、（ｂ）は、該光伝送モジュールの概略構成を示すブロック図である。
【図１１】（ａ）は、変形例２−２としての光伝送モジュールを内蔵した折り畳み式携帯電話機における、光伝送モジュールが適用されている部分のブロック図であり、（ｂ）は、該光伝送モジュールの概略構成を示すブロック図である。
【図１２】（ａ）は、変形例２−３としての光伝送モジュールの概略構成を示すブロック図であり、（ｂ）は、高入力インピーダンス回路（丸で囲んだ部分）の構成を示す回路図である。
【図１３】（ａ）は、変形例２−４としての光伝送モジュールを内蔵した折り畳み式携帯電話機における、光伝送モジュールが適用されている部分のブロック図であり、（ｂ）は、該光伝送モジュールの概略構成を示すブロック図である。
【図１４】構成例１としての光伝送モジュールの概略構成を示すブロック図である。
【図１５】構成例１としての光伝送モジュールにおいて、高入力インピーダンス回路がさらに設けられている場合の概略構成を示すブロック図である。
【図１６】（ａ）は、構成例２としての光伝送モジュールの概略構成を示すブロック図であり、（ｂ）は、該光伝送モジュールに入力される信号の波形を示す図であり、（ｃ）は、該光伝送モジュールに備えられる電圧比較回路の回路図であり、（ｄ）は、該電圧比較回路により分離された信号の波形を示す図である。
【図１７】構成例３としての光伝送モジュールの概略構成を示すブロック図である。
【図１８】構成例４としての光伝送モジュールの概略構成を示すブロック図であり、（ｂ）は、該光伝送モジュールに入力される信号の波形を示す図である。
【図１９】（ａ）は、本実施形態の光伝送モジュールを備えた印刷装置の外観を示す斜視図であり、（ｂ）は、（ａ）に示した印刷装置の主要部を示すブロック図であり、（ｃ）および（ｄ）は、印刷装置においてプリンタヘッドが移動（駆動）した場合の、光伝送路の湾曲状態を示す斜視図である。
【図２０】本実施形態の光伝送モジュールを備えたハードディスク記録再生装置の外観を示す斜視図である。
【図２１】（ａ）は、一般的な光伝送モジュールの外観を示す斜視図であり、（ｂ）は、該光伝送モジュールを内蔵した折り畳み式携帯電話機の内観を示す斜視図である。
【図２２】図２１（ａ）に示す光伝送モジュールを内蔵した折り畳み式携帯電話機における、光伝送モジュールが適用されている部分のブロック図である。
【図２３】従来の光伝送モジュールを内蔵した折り畳み式携帯電話機における、光伝送モジュールが適用されている部分のブロック図である。
【図２４】従来の光伝送モジュールの概略構成を示すブロック図である。
【符号の説明】
【００４８】
１        光伝送モジュール
２        光送信処理部（光送信部）
２３      発光部
２４      信号判別処理部（信号判別処理手段）
２５      電源制御部（第１の電源制御部）
２７      信号分離部（信号分離手段）
２７１ａ  ＨＰＦ（ハイパスフィルタ）
２７１ｂ  ＬＰＦ（ローパスフィルタ）
２７２ａ  第１の電圧比較回路（第１の電圧比較手段）
２７２ｂ  第２の電圧比較回路（第１の電圧比較手段）
２７５    電圧比較回路（電圧比較手段）
２７３    周波数判定部（周波数判定手段）
２７４    切替部（切替手段）
３        光受信処理部（光受信部）
３１      受光部
３４      電源制御部（第２の電源制御部）
４        光伝送路
５        電気伝送路
２０      主制御基板
３０      アプリケーション回路基板
【発明を実施するための最良の形態】
【００４９】
〔実施の形態１〕
本発明の一実施形態について図３〜図８に基づいて説明すると以下の通りである。【００５０】
本実施の形態１および後述する実施の形態２では、操作キーを備える本体部と、表示画面を備える蓋部と、上記本体部に上記蓋部を回転可能に接続するヒンジ部とからなる折り畳み式携帯電話機（以下、携帯電話機と示す）において、上記本体部および上記蓋部の間での情報（データ）伝送を、上記ヒンジ部内に設けられた光伝送モジュールを介して行う構成を例に挙げて説明する。【００５１】
図３（ａ）は本実施形態１の光伝送モジュール１を内蔵した携帯電話機４０の外観を示す斜視図である。図３（ｂ）は、図３（ａ）に示した携帯電話機４０における、光伝送モジュール１が適用されている部分のブロック図である。図３（ｃ）は、図３（ａ）におけるヒンジ部４１（破線で囲んだ部分）の透視平面図である。【００５２】
図３（ａ）〜図３（ｃ）に示すように、携帯電話機４０は、本体部４２と、本体部４２の一端に設けられたヒンジ部４１と、ヒンジ部４１を軸として回転可能に設けられた蓋部４３とから構成されている。【００５３】
本体部４２は、携帯電話機４０を操作するための操作キー４４を備えるとともに、その内部に主制御基板２０を備えている。主制御基板２０には、該主制御基板２０に搭載される各素子（図示せず）を統括制御するＣＰＵ２９が搭載されている。【００５４】
蓋部４３は、外部に表示画面４５やカメラ（図示せず）を備えるとともに、内部にアプリケーション回路基板３０を備えている。アプリケーション回路基板３０には、ＣＰＵ２９から転送される画像データに基づいて画像を表示するＬＣＤ（Liquid Crystal Display）（図示せず）、ＬＣＤを駆動制御するＬＣＤドライバ３９、被写体を撮像するカメラと該カメラを駆動制御するカメラ駆動部とを含むカメラモジュール３９などが搭載されている。【００５５】
光伝送モジュール１は、主制御基板２０とアプリケーション回路基板３０とを接続し、両基板２０，３０間でのデータ伝送を行う。主制御基板２０からアプリケーション回路基板３０へ伝送されるデータの具体例としては、ＬＣＤドライバ３９やカメラモジュール３９を駆動させるための駆動信号や、ＬＣＤに表示させる画像データ等が挙げられる。また、アプリケーション回路基板３０から主制御基板２０へ伝送されるデータの具体例としては、カメラで撮像した画像データ等が挙げられる。【００５６】
（光伝送モジュールの構成）
図４（ａ）は、本実施の形態１の光伝送モジュール１を内蔵した携帯電話機４０における、光伝送モジュール１が適用されている部分のブロック図であり、図４（ｂ）は、該光伝送モジュール１の概略構成を示すブロック図である。【００５７】
同図に示すように、光伝送モジュール１は、ＣＰＵ２９を搭載する主制御基板２０に接続される光送信処理部（光送信部；Ｔｘ）２と、ＬＣＤドライバ３９やカメラモジュール３９などのアプリケーション回路を搭載するアプリケーション回路基板３０に接続される光受信処理部（光受信部；Ｒｘ）３と、光送信処理部２および光受信処理部３同士を接続する光配線となる光伝送路４と、光送信処理部２および光受信処理部３同士を接続する電気配線となる電気伝送路５とを備えている。【００５８】
光送信処理部２は、インタフェース回路（以下、Ｉ／Ｆ回路）２１と、発光駆動部２２と、発光部２３と、信号判別処理部（信号判別処理手段）２４と、電源制御部（第１の電源制御部）２５とを備えている。【００５９】
Ｉ／Ｆ回路２１は、外部から電圧レベルや周波数レベルの異なる信号を受信するための回路であり、外部から光伝送モジュール１内に入力される電気信号の電気配線と発光駆動部２２との間に設けられる。なお、図示はしていないが、Ｉ／Ｆ回路２１には、外部から入力される電気信号を伝送する電気配線との電気接続部が設けられている。【００６０】
発光駆動部２２は、Ｉ／Ｆ回路２１を介して外部から光伝送モジュール１内に入力された電気信号に基づいて発光部２３の発光を駆動する。この発光駆動部２２は、例えば発光駆動用のＩＣ（Integrated Circuit）によって構成されている。【００６１】
発光部２３は、発光駆動部２２による駆動制御に基づいて発光する。この発光部２３は、例えばＶＣＳＥＬ（Vertical Cavity-Surface Emitting Laser）などの発光素子によって構成される。発光部２３から発せられた光は、光信号として光伝送路４の光入射側端部に照射される。【００６２】
信号判別処理部２４は、主制御基板２０から出力される信号の有無を判定して、判定結果に応じた制御信号を出力する。この信号判別処理部２４の詳細については後述する。【００６３】
電源制御部２５は、信号判別処理部２４から出力される制御信号に基づいて、光送信処理部２を構成する各部の電源を統括制御する。具体的には、電源制御部２５は、上記制御信号に基づいて、Ｉ／Ｆ回路２１と発光駆動部２２と発光部２３とに電力を供給して駆動させる一方、それぞれへの電力の供給を遮断して停止させる。【００６４】
このように、光送信処理部２は、該光送信処理部２に入力される電気信号を、該電気信号に応じた光信号に変換して、光伝送路４に出力するとともに、その内部を構成する各部の電源を電源制御部２５により制御する。【００６５】
一方、光受信処理部３は、受光部３１と、増幅部３２と、Ｉ／Ｆ回路３３と、電源制御部３４とを備えている。【００６６】
受光部３１は、光伝送路４の光出射側端部から出射された光信号としての光を受光し、光電変換によって電気信号を出力する。この受光部３１は、例えばＰＤ（Photo-Diode）などの受光素子によって構成される。【００６７】
増幅部３２は、受光部３１から出力された電気信号を所望の値に増幅して外部に出力する。この増幅部３２は、例えば増幅用のＩＣによって構成される。【００６８】
Ｉ／Ｆ回路３３は、増幅部３２により増幅された電気信号を光伝送モジュール１の外部へ出力するための回路であり、増幅部３２と光伝送モジュール１の外部へと繋がる電気配線との間に設けられる。なお、図示はしていないが、Ｉ／Ｆ回路３３には、外部へ電気信号を伝送する電気配線との電気接続部が設けられている。【００６９】
電源制御部３４は、光送信処理部２の信号判別処理部２４から出力される制御信号を後述する電気伝送路５を介して受信して、該制御信号に基づいて、光受信処理部３を構成する各部の電源を統括制御する。具体的には、電源制御部３４は、受光部３１と増幅部３２とＩ／Ｆ回路３３とに電力を供給して駆動させる一方、それぞれへの電力の供給を遮断して停止させる。【００７０】
このように、光受信処理部３は、光伝送路４から出力される光信号を受信して、該光信号に応じた電気信号に変換した後、所望の信号値に増幅して外部に出力するとともに、その内部を構成する各部の電源を電源制御部３４により制御する。【００７１】
光伝送路４は、発光部２３から出射されるデータ信号としての光信号を受光部３１まで伝送する媒体であり、また、電気伝送路５は、光送信処理部２から出力される制御信号としての電気信号を光受信処理部３に伝送する媒体である。光伝送路４および電気伝送路５の詳細については後述する。【００７２】
（光伝送路の構成）
次に、光伝送路４の詳細について図５（ａ）および図５（ｂ）を用いて説明する。図５（ａ）は、光伝送路４の側面図を示している。同図に示すように、光伝送路４は、光伝送方向を軸とする柱状形状のコア部４ａと、コア部４ａの周囲を囲むように設けられたクラッド部４ｂとを備えた構成となっている。コア部４ａおよびクラッド部４ｂは透光性を有する材料によって構成されているとともに、コア部４ａの屈折率は、クラッド部４ｂの屈折率よりも高くなっている。これにより、コア部４ａに入射した光信号は、コア部４ａ内部で全反射を繰り返すことによって光伝送方向に伝送される。【００７３】
コア部４ａおよびクラッド部４ｂを構成する材料としては、ガラスやプラスチックなどを用いることが可能であるが、十分な可撓性を有する光伝送路４を構成するためには、アクリル系、エポキシ系、ウレタン系、およびシリコーン系等の樹脂材料を使用することが好ましい。また、クラッド部４ｂを空気などの気体で構成してもよい。さらに、クラッド部４ｂをコア部４ａよりも屈折率の小さい液体の雰囲気下において使用しても同様の効果が得られる。【００７４】
次に、光伝送路４による光伝送の仕組みについて図５（ｂ）を用いて説明する。図５（ｂ）は、光伝送路４における光伝送の状態を模式的に示している。同図に示すように、光伝送路４は可撓性を有する柱状形状の部材によって構成される。また、光伝送路４の光入射側端部には光入射面４Ａが設けられているとともに、光出射側端部には光出射面４Ｂが設けられている。【００７５】
発光部２３から出射された光は、光伝送路４の光伝送方向に対して直角または略直角となる方向から、光伝送路４の光入射側端部に入射される。入射された光は、光入射面４Ａにおいて反射されることによって光伝送路４内に導入されコア部４ａ内を進行する。光伝送路４内を進行して光出射側端部に到達した光は、光出射面４Ｂにおいて反射されることによって、光伝送路４の光伝送方向に対して直角または略直角となる方向へ出射される。出射された光は、受光部３１に照射され、受光部３１において光電変換が行われる。【００７６】
このような構成によれば、光伝送路４における光伝送方向に対して直角または略直角となる方向に、光源としての発光部２３を配置する構成とすることが可能となる。よって、例えば基板面に平行に光伝送路４を配置することが必要とされる場合に、光伝送路４と基板面との間に、該基板面の法線方向に光を出射するように発光部２３を設置すればよいことになる。このような構成は、例えば発光部２３を基板面に平行に光を出射するように設置する構成よりも、実装が容易であり、また、構成としてもよりコンパクトにすることができる。これは、発光部２３の一般的な構成が、光を出射する方向のサイズよりも、光を出射する方向に直角な方向のサイズの方が大きくなっていることによるものである。さらに同一面内に電極と発光部２３がある平面実装向け発光素子を使用する構成にも適用が可能である。【００７７】
なお、同図に示す光伝送路４は、上述のように、光入射面４Ａおよび光出射面４Ｂが傾斜している構成であるが、本実施形態における光伝送路４は、両端面が光伝送方向に対して直交する構成であってもよい。すなわち、光伝送路４の外形が、直方体状に形成されていてもよい。【００７８】
（信号判別処理部の構成）
次に、信号判別処理部２４の詳細について説明する。信号判別処理部２４は、Ｉ／Ｆ回路２１に接続され、外部から光送信処理部２に入力される電気信号（入力信号）の有無を判定する。また、信号判別処理部２４は、入力信号がないと判定した場合には、光送信処理部２の電源制御部２５および光受信処理部３の電源制御部３４に、各部への電力供給の停止を命令する信号（停止信号）を出力する一方、入力信号があると判定した場合には、それぞれの電源制御部２５，３４に、各部への電力供給の開始を命令する信号（起動信号）を出力する。このように、信号判別処理部２４は、光伝送モジュール１に対する入力信号の有無を判定するとともに、判定結果に基づいた制御信号、すなわち起動命令または停止命令を示す信号を出力する。【００７９】
ここで、信号判別処理部２４が光送信処理部２における入力信号の有無を判定する方法について、２つの方法を例に挙げて説明する。【００８０】
第１の方法としては、デジタルの入力信号の「０」または「１」の変化を読み取る方法が挙げられる。具体的には、入力信号の「０」または「１」が、予め設定された時間の間変化しない場合に、入力信号の有無を判定する構成であり、例えば、「０」を示す入力信号が、予め設定された時間の間変化しなかった場合は入力信号がないと判定し、「０」を示す入力信号が、予め設定された時間経過する前に「１」に変化した場合には、入力信号があると判定する。また、例えば、「１」を示す入力信号が、予め設定された時間の間変化しなかった場合は入力信号があると判定し、「１」を示す入力信号が、予め設定された時間経過する前に「０」に変化した場合には、入力信号がないと判定する。【００８１】
第２の方法としては、入力信号の電圧変化を読み取る方法が挙げられる。具体的には、入力信号の電圧が、予め設定された電圧範囲に含まれるか否かにより入力信号の有無を判定する構成であり、例えば、入力信号の電圧が、予め設定された電圧範囲内である場合は、入力信号があると判定し、入力信号の電圧が、予め設定された電圧範囲外である場合には、入力信号がないと判定する。【００８２】
上記例示した方法により入力信号の有無を判定した後、信号判別処理部２４は、光送信処理部２および光受信処理部３におけるそれぞれの電源制御部２５，３４に対して、制御信号、具体的には、停止命令を示す「０」の信号、または起動命令を示す「１」の信号を出力する。それぞれの電源制御部２５，３４は、上述のように、信号判別処理部２４から受信した制御信号に基づいて、光送信処理部２および光受信処理部３の各部の電源を制御する。【００８３】
（電気伝送路の構成）
次に、電気伝送路５の詳細について説明する。電気伝送路５は、光伝送路４に並行して設けられ、光送信処理部２および光受信処理部３同士を接続し、光送信処理部２から出力される制御信号を光受信処理部３に伝送する。具体的には、図４（ｂ）に示すように、電気伝送路５は、光送信処理部２における信号判別処理部２４および電源制御部２５と、光受信処理部３の電源制御部３４とを接続して、信号判別処理部２４から出力される制御信号を、それぞれの電源制御部２５，３４に伝送する。【００８４】
電気伝送路５は、具体的には、例えば、フレキシブルプリント基板（ＦＰＣ）、同軸ケーブル、リードフレーム等により構成される。図６は、電気伝送路５がＦＰＣで構成されている場合の光伝送モジュール１の概略構成を示す斜視図である。このように、光伝送路４および電気伝送路５をフレキシブルな配線により構成することで、光伝送モジュール１を携帯機器等の小型の電子機器に適用することができる。【００８５】
ここで、図４（ｂ）に示す電気伝送路５は、１本の信号線により構成されているが、これに限定されるものではなく、２本以上であってもよい。図７は、電気伝送路５が、２本の信号線により構成されている場合の光伝送モジュール１の概略構成を示すブロック図である。同図に示すように、２本の信号線は、それぞれ光送信処理部２および光受信処理部３同士を接続し、それぞれの電源制御部２５，３４に制御信号を伝送する。【００８６】
この構成により、光送信処理部２および光受信処理部３における電力状態（電力モード）を、様々な状態に制御することが可能となる。具体的には例えば、電気伝送路５が２本の信号線で構成されている場合には、それぞれの電気伝送路５を伝送する信号値（「０」または「１」）の組合せ、すなわち「００」，「０１」，「１０」，「１１」の４つの組合せに対応する電力モードに制御することができる。これにより、例えば、光送信処理部２および光受信処理部３の電力を完全に遮断する停止モード、光送信処理部２および光受信処理部３の電力を完全には遮断せず、少量の待機電力を供給して、起動時の高速な応答処理を可能とする待機モード、光送信処理部２および光受信処理部３の電力が常時供給されている通常の駆動モード、など異なる電力モードに設定・変更することが可能となる。なお、上記制御信号と電力モードとの対応関係の設定は、テーブル（図示せず）によって実現することができる。【００８７】
このように、電気伝送路５をｎ本の信号線で構成することにより、２ｎ通りの電力モードに制御することが可能となる。なお、「０」および「１」のデジタル値を用いずに、２本の信号線のうち、一方の信号線をクロック信号線、他方の信号線をデータ信号線とし、データ信号として８ビットや１６ビット等のコマンドを伝送することにより複数の電力モードを制御する構成としてもよい。【００８８】
上述の電気伝送路５を介して制御信号を受信した、光送信処理部２および光受信処理部３におけるそれぞれの電源制御部２５，３４は、光送信処理部２および光受信処理部３を、該制御信号に対応付けられた電力モードに変更する。例えば、それぞれの電源制御部２５，３４が、信号判別処理部２４から停止信号を受信すると、光送信処理部２で駆動しているＩ／Ｆ回路２１、発光駆動部２２および発光部２３、光受信処理部３で駆動している受光部３１、増幅部３２およびＩ／Ｆ回路３３の電力供給を遮断して、駆動モードから停止モードに変更する。また、それぞれの電源制御部２５，３４が、信号判別処理部２４から起動信号を受信すると、光送信処理部２で停止しているＩ／Ｆ回路２１、発光駆動部２２および発光部２３、光受信処理部３で停止している受光部３１、増幅部３２およびＩ／Ｆ回路３３への電力供給を開始して起動させ、停止モードから駆動モードに変更する。【００８９】
以上のように、本実施形態１の光伝送モジュール１は、データ送信側である光送信処理部２から出力される制御信号に基づいて、光送信処理部２および光受信処理部３の電源を制御する構成である。これにより、特に、光伝送モジュール１にデータ信号が入力されていない場合に、光受信処理部３の電源を完全にＯＦＦにすることができるため、従来の構成と比較して、待機時の電力の消費を低減することができる。また、光伝送モジュール１では、光送信処理部２および光受信処理部３における電源を同一の信号線（電気伝送路５）を利用して制御しているため、両者の起動／停止を同時に制御することが可能となり、タイムラグの影響による無駄な電力の消費をも低減することができる。【００９０】
（変形例１−１）
ここで、本実施形態の光伝送モジュール１を他の構成に適用した変形例ついて説明する。図８（ａ）は、本実施の形態１における変形例１−１としての光伝送モジュール１を内蔵した携帯電話機４０における、光伝送モジュール１が適用されている部分のブロック図であり、図８（ｂ）は、該光伝送モジュール１の概略構成を示すブロック図である。【００９１】
本変形例１−１の光伝送モジュール１では、図４（ａ）および図４（ｂ）に示す光伝送モジュール１の光送信処理部２と光受信処理部３とが逆の構成である。すなわち、光送信処理部２とアプリケーション回路、例えばカメラモジュール３９とが接続され、光受信処理部３とＣＰＵ２９とが接続されている。【００９２】
ここで、本変形例１−１の光伝送モジュール１において伝送されるデータ信号および制御信号の流れについて説明する。【００９３】
例えば、カメラ（カメラモジュール３９）で撮像した画像データ（データ信号）が、光送信処理部２のＩ／Ｆ回路２１に入力される。このとき信号判別処理部２４は、入力信号ありと判定し、光伝送モジュール１を構成する各部への電力供給の開始を命令する信号（起動信号）を電源制御部２５，３４に出力する。上記起動信号を受信した電源制御部２５，３４は、各部に電力を供給し起動させる。これにより、上記画像データは、光伝送路４を介して光受信処理部３に受信された後、ＣＰＵ２９の処理により例えばメモリ（図示せず）に記憶される。次に、信号判別処理部２４が、Ｉ／Ｆ回路２１において次に受信すべき入力信号がないと判定すると、各部への電力供給の停止を命令する信号（停止信号）を電源制御部２５，３４に出力する。停止信号を受信した電源制御部２５，３４は、各部への電力供給を遮断して駆動モードから停止モードに変更する。【００９４】
このように、本変形例１−１の光伝送モジュール１では、光送信処理部２が、カメラモジュール３９が搭載されるアプリケーション回路基板３０側からデータ信号を受信して、受信したデータ信号に基づいて制御信号を出力する構成である。すなわち、本変形例１−１の光伝送モジュール１におけるデータ信号および制御信号の流れは、図４（ａ）および図４（ｂ）に示す光伝送モジュール１におけるデータ信号および制御信号の流れとは逆の構成である。よって、両図に示す光伝送モジュールを、図３（ｂ）に示すように併設することによって、双方向通信が可能な光伝送モジュールを実現することができる。【００９５】
〔実施の形態２〕
本発明の他の実施形態について図９〜図１８に基づいて説明すれば、以下のとおりである。なお、説明の便宜上、上記実施の形態１において示した部材と同一の機能を有する部材には、同一の符号を付し、その説明を省略する。また、実施の形態１において定義した用語については、特に断らない限り本実施の形態においてもその定義に則って用いるものとする。【００９６】
図９（ａ）は、本実施の形態２の光伝送モジュール１０を内蔵した携帯電話機４０における、光伝送モジュール１０が適用されている部分のブロック図であり、図９（ｂ）は、該光伝送モジュール１０の概略構成を示すブロック図である。【００９７】
上記実施の形態１では、光送信処理部２に備えられる信号判別処理部２４において、光伝送モジュール１への入力信号の有無を判定し、判定結果に応じた制御信号を電源制御部２５および電源制御部３４に出力する構成であったが、本実施の形態２では、上記制御信号を光伝送モジュール１０の外部から受信する構成である。すなわち、光伝送モジュール１０では、光送信処理部２の電源制御部２５および光受信処理部３の電源制御部３４が、外部で生成された停止信号または起動信号の制御信号を受信して、受信した制御信号に基づいて、光送信処理部２および光受信処理部３を制御する構成である。【００９８】
図９（ａ）および図９（ｂ）に示すように、光送信処理部２には、データ信号を受信するための入力端子（データ信号用入力端子）とは別に、制御信号を外部、例えば主制御基板２０に搭載されるＣＰＵ２９から受信するための入力端子（制御信号用入力端子）が設けられている。すなわち、光送信処理部２およびＣＰＵ２９は、データ信号伝送用の伝送路と、制御信号伝送用の伝送路とにより接続されている。制御信号用入力端子には、制御信号を伝送するための電気伝送路５が接続され、該電気伝送路５は、光送信処理部２および光受信処理部３におけるそれぞれの電源制御部２５，３４に接続されている。【００９９】
本実施の形態２の構成によれば、上記実施の形態１と同様、光伝送モジュール１０にデータが入力されていない場合に、光送信処理部２および光受信処理部３の電源を完全にＯＦＦにすることができるため、従来の構成と比較して、待機時の電力の消費を低減することができる。また、光伝送モジュール１０に入力される制御信号に基づいて、光送信処理部２および光受信処理部３における電源を同一の信号線（電気伝送路５）を利用して制御しているため、両者の起動／停止を同時に制御することが可能となり、タイムラグの影響による無駄な電力の消費も低減することができる。【０１００】
本実施の形態２の光伝送モジュール１０は、光伝送モジュール１０の外部に設けられるＣＰＵ２９が、光伝送モジュール１０への入力信号の有無を判定して光伝送モジュール１０内の電源制御を行う場合に好適である。よって、光伝送モジュール１０は、上述のように、少なくとも、光信号を伝送するための各構成部材と、制御信号を伝送するための電気伝送路５と、制御信号に基づいて電源を制御する電源制御部２５，３４とを備えていればよい。これにより、光伝送モジュール１０自体の小型化が図れるとともに、製造コストを削減することができる。【０１０１】
（変形例２−１）
本実施形態の光伝送モジュール１０の構成において、図９（ａ）および図９（ｂ）に示す構成の変形例について説明する。図１０（ａ）は、この変形例２−１としての光伝送モジュール１０を内蔵した携帯電話機４０における、光伝送モジュール１０が適用されている部分のブロック図であり、図１０（ｂ）は、該光伝送モジュール１０の概略構成を示すブロック図である。【０１０２】
本変形例２−１の光伝送モジュール１０では、図９（ｂ）に示す光伝送モジュール１０の光送信処理部２と光受信処理部３とが逆の構成である。すなわち、光送信処理部２とアプリケーション回路、例えばカメラモジュール３９とが接続され、光受信処理部３とＣＰＵ２９とが接続されている。【０１０３】
ここで、本変形例２−１の光伝送モジュール１０において伝送されるデータ信号および制御信号の流れについて説明する。【０１０４】
例えば、カメラ（カメラモジュール３９）で撮像した画像データ（データ信号）が、光送信処理部２から光伝送路４を介して光受信処理部３に伝送される。そして、光受信処理部３に受信された画像データは、ＣＰＵ２９の処理により例えばメモリ（図示せず）に記憶される。本変形例２−１の構成では、ＣＰＵ２９が、主制御基板２０から伝送された画像データを検知した時点で、制御信号（例えば停止信号）を出力する。この停止信号は、電気伝送路５を介して、光受信処理部３の電源制御部３４に入力されるとともに、光送信処理部２の電源制御部２５に入力される。電源制御部２５は、停止信号を受信すると、光受信処理部３で駆動している受光部３１、増幅部３２およびＩ／Ｆ回路３３、光送信処理部２で駆動しているＩ／Ｆ回路２１、発光駆動部２２および発光部２３の電力供給を遮断して、駆動モードから停止モードに変更する。【０１０５】
このように、本変形例２−１の構成では、光送信処理部２の電源制御部２５が、データ信号を受信する光受信処理部３から出力される制御信号を受信して、光受信処理部２の電源を制御するものである。この構成によれば、例えば図９（ｂ）に示す光伝送モジュール１０と併用することにより、双方向通信が可能な光伝送モジュールを実現することができる。【０１０６】
（変形例２−２）
本実施形態の光伝送モジュール１０の構成において、図９（ａ）および図９（ｂ）に示す構成の変形例について説明する。図１１（ａ）は、この変形例２−２としての光伝送モジュール１０を内蔵した携帯電話機４０における、光伝送モジュール１０が適用されている部分のブロック図であり、図１１（ｂ）は、該光伝送モジュール１０の概略構成を示すブロック図である。【０１０７】
図９（ｂ）に示す例では、光伝送モジュール１０における電気伝送路５が、制御信号用入力端子を介して、主制御基板２０に搭載されるＣＰＵ２９と光送信処理部２の電源制御部２５と光受信処理部３の電源制御回路３４とを接続する構成であったが、本変形例２−２では、電気伝送路５が、さらに、アプリケーション回路基板３０に搭載されるアプリケーション回路、例えばＬＣＤドライバ３９に接続される構成である。【０１０８】
従来、アプリケーション回路基板に搭載されるアプリケーション回路の電源を起動または停止するために、主制御基板に搭載されるＣＰＵと上記アプリケーション回路とを直接接続して制御信号を伝送していた。そのため、光伝送モジュールとは別に制御信号伝送用の信号線を備える必要があり、配線スペースの増大化を招いていた。【０１０９】
これに対して、本変形例２−２の構成では、電源を制御する制御信号を伝送する電気伝送路５を利用して、主制御基板２０のＣＰＵ２９から出力された制御信号を、光伝送モジュール１０の電源制御部２５，３４と、アプリケーション回路基板３０に搭載されるアプリケーション回路とに同時に伝送し、光伝送モジュール１０およびアプリケーション回路の電源を同時に制御する構成である。これにより、配線スペースの省スペース化が図れるため、光伝送モジュール１０をより小型の機器に適用することができる。【０１１０】
なお、この変形例２−２の構成では、光伝送モジュール１０の両端側の外部、つまり主制御基板２０およびアプリケーション回路基板３０から信号を入出力することができる構成であるため、例えば、アプリケーション回路基板３０に搭載されるカメラモジュール３９から出力された制御信号を主制御基板２０のＣＰＵ２９に伝送することも可能となる。【０１１１】
（変形例２−３）
本実施形態の光伝送モジュール１０の構成において、図９（ａ）および図９（ｂ）に示す構成の変形例について説明する。図１２（ａ）は、この変形例２−３としての光伝送モジュール１０の概略構成を示すブロック図であり、図１２（ｂ）は、高入力インピーダンス回路２６（丸で囲んだ部分）の構成を示す回路図である。【０１１２】
本変形例２−３の光伝送モジュール１０では、光送信処理部２の電源制御部２５が電気伝送路５からみてハイインピーダンスとなるように、電気伝送路５上の、光受信処理部３と電源制御部２５との間の分岐部５ａと、電源制御部２５との間に高入力インピーダンス回路２６が設けられている構成である。【０１１３】
一般的に、電気信号を高速に伝送する場合、伝送される高周波信号（ＲＦ信号）は、他の回路の影響を受け易く、信号波形になまりが生じる。そのため、正常な信号として伝送されない、いわゆるインピーダンスマッチングが取れないという問題が生じる。【０１１４】
そこで、本変形例２−３では、信号波形に影響を与える回路、ここでは電源制御部２５の入力インピーダンスが高くなるように、高入力インピーダンス回路２６を備えている。これにより、高周波信号の波形のなまりを防ぐことができ、制御信号を正常な信号として高速に伝送することが可能となる。なお、高入力インピーダンス回路２６の具体例としては、例えば、入力部にＭＯＳトランジスタを用いたインバータ回路が挙げられる。【０１１５】
（変形例２−４）
本実施形態の光伝送モジュール１０の構成において、図９（ａ）および図９（ｂ）に示す構成の変形例について説明する。図１３（ａ）は、この変形例２−４としての光伝送モジュール１０を内蔵した携帯電話機４０における、光伝送モジュール１０が適用されている部分のブロック図であり、図１３（ｂ）は、該光伝送モジュール１０の概略構成を示すブロック図である。【０１１６】
本変形例２−４の光伝送モジュール１０では、ＣＰＵ２９と光送信処理部２とが１本の伝送路で接続されており、データ信号および制御信号が、該伝送路を介して光送信処理部２に入力される。そのため、光伝送モジュール１０は、データ信号および制御信号を分離する信号分離部２７を備えており、信号分離部２７により分離されたデータ信号が、光送信処理部２のＩ／Ｆ回路２１に入力される一方、信号分離部２７により分離された制御信号が、電気伝送路５を介して、光送信処理部２の電源制御部２５および光受信処理部３の電源制御部３４に入力される。【０１１７】
なお、電気伝送路５は、光受信処理部３の電源制御部３４にのみ接続して、光受信処理部３の電源を制御する構成としてもよく、また、図１３（ｂ）に示すように、光受信処理部３から出力されるデータ信号を伝送する伝送路に接続される構成としてもよい。この構成によれば、ＣＰＵ２９から出力される制御信号を、アプリケーション回路基板３０の例えばＬＣＤドライバ３９に入力することができる。そのため、変形例２−２と同様の効果を奏するとともに、光伝送モジュール１０に接続される伝送路の数を減らすことができるため、光伝送モジュール１０をさらに小型の機器に適用することができる。【０１１８】
ここで、信号分離部２７の具体的な構成について、以下の構成例１〜４を挙げて説明する。【０１１９】
（信号分離部の構成例１）
信号分離部２７の構成例１は、光伝送モジュール１０に入力される信号（以下、入力信号と示す）の周波数の値に基づいて、データ信号および制御信号を分離する構成である。図１４は、この構成例１としての光伝送モジュール１０の概略構成を示すブロック図である。同図に示すように、信号分離部２７は、ハイパスフィルタ（以下、ＨＰＦと示す）２７１ａおよびローパスフィルタ（以下、ＬＰＦと示す）２７１ｂにより構成されている。具体的には、データ信号伝送用の伝送路および制御信号伝送用の伝送路の分岐部５ｂと、光送信処理部２のＩ／Ｆ回路２１との間の伝送路上にＨＰＦ２７１ａが設けられ、該分岐部５ｂと光送信処理部２の電源制御部２５との間の電気伝送路５上に、ＬＰＦ２７１ｂが設けられている。【０１２０】
これにより、通常では高周波（高速）のデータ信号を、ＨＰＦ２７１ａを介してＩ／Ｆ回路２１に伝送することができ、また、通常では低周波（低速）の制御信号を、ＬＰＦ２７１ｂを介して電源制御部２５および光受信処理部３に伝送することができる。【０１２１】
ここで、データ信号が数百ＭＨｚ帯域の高周波（ＲＦ）信号である場合には、低速側の電気伝送路５のインピーダンスの影響を受け易く、波形なまりが生じる。そこで、本構成例１の光伝送モジュール１０は、図１５に示すように、変形例２−３と同様、データ信号からみた電気伝送路５がハイインピーダンスとなるように、分岐部５ｂとＬＰＦ２７１ｂとの間に高入力インピーダンス回路２６がさらに設けられていてもよい。これにより、ＲＦ帯域のデータ信号を正確に光送信処理部２に伝送することができる。高入力インピーダンス回路２６の具体例としては、例えば、入力部にＭＯＳトランジスタを用いたインバータ回路が挙げられる。【０１２２】
（信号分離部の構成例２）
信号分離部２７の構成例２は、入力信号の電圧レベルに基づいて、データ信号および制御信号を分離する構成である。この構成は、データ信号の電圧レベルと制御信号の電圧レベルとが、図１６（ｂ）に示すように異なる場合に有効である。図１６（ａ）は、この構成例２としての光伝送モジュール１０の概略構成を示すブロック図である。図１６（ａ）に示すように、信号分離部２７は、それぞれ、閾値の異なる第１の電圧比較回路（第１の電圧比較手段）２７２ａおよび第２の電圧比較回路（第２の電圧比較手段）２７２ｂにより構成されている。図１６（ｃ）は、それぞれの電圧比較回路２７２ａ，２７２ｂの回路図であり、図１６（ｄ）は、それぞれの電圧比較回路２７２ａ，２７２ｂにより分離された信号の波形を示す図である。【０１２３】
第１の電圧比較回路２７２ａでは、電圧レベルの高い入力信号を下流側のＩ／Ｆ回路２１に伝送するように、閾値が高く設定されており（Ｔｈ_Ｈ；第１の電圧値）、第２の電圧比較回路２７２ｂでは、電圧レベルの低い入力信号を下流側の電源制御部２５および光受信処理部３に伝送するように、閾値が低く設定されている（Ｔｈ_Ｌ；第２の電圧値）。【０１２４】
これにより、図１６（ｂ）に示すように、入力信号の電圧レベルの変化の範囲に、閾値（Ｔｈ_Ｈ）が含まれる場合には、入力信号をデータ信号とみなしてＩ／Ｆ回路２１に伝送する一方、入力信号の電圧レベルの変化の範囲に、閾値（Ｔｈ_Ｌ）が含まれる場合には、入力信号を制御信号とみなして電源制御部２５および光受信処理部３に伝送する。【０１２５】
（信号分離部の構成例３）
信号分離部２７の構成例３は、上記構成例１と同様、入力信号の周波数の値に基づいて、データ信号および制御信号を分離する構成である。図１７は、この構成例３としての光伝送モジュール１０の概略構成を示すブロック図である。同図に示すように、信号分離部２７は、周波数判定部２７３および切替部２７４により構成されている。【０１２６】
周波数判定部２７３は、入力信号の周波数を判定する。具体的には、入力信号の周波数の値が予め設定された値よりも大きいか否かを判定し、判定結果を切替部２７４に出力する。切替部２７４は、周波数判定部２７３から受信した判定結果に基づいて、データ信号伝送用の伝送路と、制御信号伝送用の伝送路とをスイッチにより切り替える。【０１２７】
これにより、構成例１と同様、通常では高周波（高速）のデータ信号を、Ｉ／Ｆ回路２１に伝送することができ、また、通常では低周波（低速）の制御信号を、電源制御部２５および光受信処理部３に伝送することができる。【０１２８】
（信号分離部の構成例４）
信号分離部２７の構成例４は、上記構成例２と同様、入力信号の電圧レベルに基づいて、データ信号および制御信号を分離する構成である。この構成は、構成例２と同様、データ信号の電圧レベルと制御信号の電圧レベルとが、図１８（ｂ）に示すように異なる場合に有効である。図１８（ａ）は、この構成例４としての光伝送モジュール１０の概略構成を示すブロック図である。図１８（ａ）に示すように、信号分離部２７は、電圧比較回路（電圧比較手段）２７５および切替部２７４により構成されている。【０１２９】
電圧比較回路２７５は、入力信号の電圧レベルを判定する。具体的には、入力信号の電圧レベルが、図１８（ｂ）に示す予め設定された閾値（Ｔｈ電圧）よりも大きいか否かを判定し、判定結果を切替部２７４に出力する。切替部２７４は、周波数判定部２７３の判定結果に基づいて、データ信号伝送用の伝送路と制御信号伝送用の伝送路とを切り替える。【０１３０】
これにより、構成例２と同様、入力信号が閾値よりも大きい場合には、入力信号（データ信号）をＩ／Ｆ回路２１に伝送することができ、入力信号が閾値よりも小さい場合には、入力信号（制御信号）は電源制御部２５および光受信処理部３に伝送することができる。【０１３１】
以上、実施の形態１および２で説明したように、本発明の光伝送モジュールは、光送信処理部２の電源制御部２５および光受信処理部３の電源制御部３４が、受信した制御信号に基づいて、光送信処理部２および光受信処理部３を構成する各部の電源を制御する構成である。すなわち、本発明の光伝送モジュールでは、図１（ａ）および図１（ｂ）（図１０（ａ）および図１０（ｂ））に示すように、制御信号が、光送信処理部２（または光受信処理部３）から出力され、光受信処理部３（または光送信処理部２）の電源制御部３４（または電源制御部２５）に入力される構成である。【０１３２】
なお、本発明の光伝送モジュールは、図２（ａ）および図２（ｂ）に示すように、光送信処理部２が、発光部２３と該発光部２３の電源を制御する電源制御部２５とを備え、光受信処理部３が、受光部３１と増幅部３２とそれらの電源を制御する電源制御部３４とを備えていればよく、Ｉ／Ｆ回路２１、発光駆動部２２およびＩ／Ｆ回路３３は光伝送モジュールの外部に備えられている構成であってもよい。【０１３３】
（応用例）
本実施形態の光伝送モジュールは、例えば以下のような応用例に適用することが可能である。実施の形態１および２では、第１の応用例として携帯電話機４０に適用した例を用いて説明したが、本発明の光伝送モジュールはこれに限られず、折り畳み式ＰＨＳ（Personal Handyphone System）や折り畳み式ＰＤＡ（Personal Digital Assistant），折り畳み式ノートパソコン等の折り畳み式の電子機器のヒンジ部等にも適用することができる。【０１３４】
光伝送モジュールを、これらの折り畳み式電子機器に適用することにより、限られた空間で高速、大容量の通信を実現できる。したがって、例えば、折り畳み式液晶表示装置などの、高速、大容量のデータ通信が必要であって、小型化が求められる機器に特に好適である。【０１３５】
第２の応用例として、本発明の光伝送モジュール１，１０は、印刷装置（電子機器）におけるプリンタヘッドやハードディスク記録再生装置における読み取り部など、駆動部を有する装置に適用できる。【０１３６】
図１９（ａ）〜図１９（ｃ）は、光伝送モジュール１，１０を印刷装置５０に適用した例を示している。図１９（ａ）は、印刷装置５０の外観を示す斜視図である。この図に示すように、印刷装置５０は、用紙５２の幅方向に移動しながら用紙５２に対して印刷を行うプリンタヘッド５１を備えており、このプリンタヘッド５１に光伝送モジュール１，１０の一端が接続されている。【０１３７】
図１９（ｂ）は、印刷装置５０における、光伝送モジュール１，１０が適用されている部分のブロック図である。この図に示すように、光伝送モジュール１，１０の一端部はプリンタヘッド５１に接続されており、他端部は印刷装置５０における本体側基板に接続されている。なお、この本体側基板には、印刷装置５０の各部の動作を制御する制御手段などが備えられる。【０１３８】
図１９（ｃ）および図１９（ｄ）は、印刷装置５０においてプリンタヘッド５１が移動（駆動）した場合の、光伝送路４の湾曲状態を示す斜視図である。この図に示すように、光伝送路４をプリンタヘッド５１のような駆動部に適用する場合、プリンタヘッド５１の駆動によって光伝送路４の湾曲状態が変化するとともに、光伝送路４の各位置が繰り返し湾曲される。【０１３９】
したがって、本実施形態にかかる光伝送モジュール１，１０は、これらの駆動部に好適である。また、光伝送モジュール１，１０をこれらの駆動部に適用することにより、駆動部を用いた高速、大容量通信を実現できる。【０１４０】
図２０は、光伝送路４をハードディスク記録再生装置６０に適用した例を示している。【０１４１】
この図に示すように、ハードディスク記録再生装置６０は、ディスク（ハードディスク）６１、ヘッド（読み取り、書き込み用ヘッド）６２、基板導入部６３、駆動部（駆動モータ）６４、光伝送モジュール１，１０を備えている。【０１４２】
駆動部６４は、ヘッド６２をディスク６１の半径方向に沿って駆動させるものである。ヘッド６２は、ディスク６１上に記録された情報を読み取り、また、ディスク６１上に情報を書き込むものである。なお、ヘッド６２は、光伝送モジュール１，１０を介して基板導入部６３に接続されており、ディスク６１から読み取った情報を光信号として基板導入部６３に伝搬させ、また、基板導入部６３から伝搬された、ディスク６１に書き込む情報の光信号を受け取る。【０１４３】
このように、光伝送モジュール１，１０をハードディスク記録再生装置６０におけるヘッド６２のような駆動部に適用することにより、高速、大容量通信を実現できる。【０１４４】
本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。【０１４５】
本発明における光伝送モジュールは、以上のように、上記光送信部と上記光受信部とを接続し、上記発光部および上記受光部への電力供給を制御する制御信号を、上記第１の電源制御部および上記第２の電源制御部に伝送する電気伝送路を少なくとも１つ備え、上記第１の電源制御部および上記第２の電源制御部は、上記電気伝送路を介して入力される上記制御信号に基づいて、上記発光部および上記受光部への電力供給を制御する構成である。【０１４６】
これにより、発光部および受光部それぞれの起動／停止を同一の制御信号により制御することができる。したがって、簡易な構成により待機時の消費電力を低減できる光伝送モジュールを提供することができるという効果を奏する。【０１４７】
発明の詳細な説明の項においてなされた具体的な実施形態または実施例は、あくまでも、本発明の技術内容を明らかにするものであって、そのような具体例にのみ限定して狭義に解釈されるべきものではなく、本発明の精神と次に記載する請求の範囲内において、いろいろと変更して実施することができるものである。
【産業上の利用可能性】
【０１４８】
本発明における光伝送モジュールは、各種機器間の光通信路にも適用可能であるとともに、小型、薄型の民生機器内に搭載される機器内配線としてのフレキシブルな光配線にも適用可能である。
【図１】
2008126755.tif 000003
【図２】
2008126755.tif 000004
【図３】
2008126755.tif 000005
【図４】
2008126755.tif 000006
【図５】
2008126755.tif 000007
【図６】
2008126755.tif 000008
【図７】
2008126755.tif 000009
【図８】
2008126755.tif 000010
【図９】
2008126755.tif 000011
【図１０】
2008126755.tif 000012
【図１１】
2008126755.tif 000013
【図１２】
2008126755.tif 000014
【図１３】
2008126755.tif 000015
【図１４】
2008126755.tif 000016
【図１５】
2008126755.tif 000017
【図１６】
2008126755.tif 000018
【図１７】
2008126755.tif 000019
【図１８】
2008126755.tif 000020
【図１９】
2008126755.tif 000021
【図２０】
2008126755.tif 000022
【図２２】
2008126755.tif 000023
【図２３】
2008126755.tif 000024
【図２４】
2008126755.tif 000025
【図２１】
2008126755.tif 000026
【国際調査報告】
2008126755.tif 000027
2008126755.tif 000028
2008126755.tif 000029
2008126755.tif 000030